(57)【要約】【課題】  ユーザが選択した出力形式で出力される画像データが所望の画像データであるか否かを予めユーザが判別でき、ユーザが判別をした上で、選択された出力形式で画像データを出力することができる画像処理装置、画像形成装置、画像処理プログラム、および画像処理プログラムを記録した記録媒体を提供する。【解決手段】  画像処理装置１００に、変更画像データを２種類以上作成する圧縮画像作成部１０３と、サムネイル画像データを作成するサムネイル作成部１０４と、サムネイル画像を表示するウェブページであって、送信指示情報を画像処理装置１００に送信するためのウェブページを作成するウェブページ作成部１０８と、ウェブページのＵＲＬを通知する通信制御部１１１と、ウェブページを公開するウェブサーバ部１０９と、送信指示情報に基づいて変更画像データを送信する指示情報処理部１１３とを設ける。【選択図】      図２
2010200181.tif 000002
【特許請求の範囲】
【請求項１】
少なくとも１つ以上の端末装置とデータ通信する画像処理装置であって、
原稿画像データが入力されると、当該原稿画像データから、出力形式を変更した画像データである変更画像データを、１つの原稿画像データについて、異なる出力形式で、少なくとも２種類以上作成する出力形式変更手段と、
前記変更画像データの少なくとも１つからサムネイル画像データを作成するサムネイル画像作成手段と、
前記サムネイル画像データに基づくサムネイル画像を表示するウェブページであって、いずれの原稿画像データについていずれの変更画像データを端末装置に対して送信すべきであるかを示す選択情報を含む送信指示情報を、端末装置から前記画像処理装置に対して送信するためのウェブページを作成するウェブページ作成手段と、
前記ウェブページのＵＲＬを、端末装置に対して通知するＵＲＬ通知手段と、
前記ウェブページを、端末装置に対して公開するウェブページ公開手段と、
前記送信指示情報に基づいて、端末装置に対して送信すべき変更画像データを、端末装置に対して送信する画像送信手段とを備えることを特徴とする画像処理装置。
【請求項２】
前記画像送信手段は、原稿画像データについていずれの変更画像データを送信すべきかを判断する自動選択が可能であり、
前記送信指示情報は、いずれの原稿画像データが前記画像送信手段による自動選択の対象であるかを示す自動選択情報を含むことを特徴とする請求項１に記載の画像処理装置。
【請求項３】
前記送信指示情報は、変更画像データを送信すべきでない原稿画像データはいずれの原稿画像データであるかを示す削除指示情報を含むことを特徴とする請求項１または２に記載の画像処理装置。
【請求項４】
前記出力形式変更手段は、端末装置に対して送信すべき変更画像データとしてＰＤＦデータを作成することを特徴とする請求項１〜３のいずれか１つに記載の画像処理装置。
【請求項５】
前記出力形式変更手段は、前記ＰＤＦデータの各ページについて、通常圧縮方法、および通常圧縮方法と比較してページの圧縮率が大きい高圧縮方法の、いずれか一方の圧縮方法を選択することを特徴とする請求項４に記載の画像処理装置。
【請求項６】
前記ウェブページ作成手段は、前記画像送信手段が変更画像データを端末装置へ送信するのにかかる時間の予想値を、前記ウェブページ中に表示するように、前記ウェブページを作成することを特徴とする請求項１〜５のいずれか１つに記載の画像処理装置。
【請求項７】
前記ウェブページ作成手段は、前記原稿画像データのデータサイズおよび前記変更画像データのデータサイズの少なくとも一方を、前記ウェブページ中に表示するように、前記ウェブページを作成することを特徴とする請求項１〜６のいずれか１つに記載の画像処理装置。
【請求項８】
請求項１〜７のいずれか１つに記載の画像処理装置と、
前記原稿画像データに基づく画像を記録媒体に形成する画像形成部とを備えることを特徴とする画像形成装置。
【請求項９】
コンピュータを少なくとも１つ以上の端末装置と通信する画像処理装置として機能させる画像処理プログラムであって、
コンピュータを、
原稿画像データが入力されると、当該原稿画像データから、出力形式を変更した画像データである変更画像データを、１つの原稿画像データについて、異なる出力形式で、少なくとも２種類以上作成する出力形式変更手段と、
前記変更画像データの少なくとも１つからサムネイル画像データを作成するサムネイル画像作成手段と、
前記サムネイル画像データに基づくサムネイル画像を表示するウェブページであって、各原稿画像データについていずれの変更画像データを端末装置に対して送信すべきであるかの情報を含む選択情報を、端末装置から前記画像処理装置に対して送信するためのウェブページを作成するウェブページ作成手段と、
前記ウェブページのＵＲＬを、端末装置に対して通知するＵＲＬ通知手段と、
前記ウェブページを、端末装置に対して公開するウェブページ公開手段と、
前記選択情報に基づいて、端末装置に対して送信すべき変更画像データを、端末装置に対して送信する画像送信手段として機能させることを特徴とする画像処理プログラム。
【請求項１０】
請求項９に記載のプログラムを記録したことを特徴とするコンピュータ読取可能な記録媒体。
【発明の詳細な説明】
【技術分野】
【０００１】
本発明は、端末装置とデータ通信する画像処理装置、画像形成装置、画像処理プログラム、および画像処理プログラムを記録した記録媒体に関する。
【背景技術】
【０００２】
従来の画像処理装置は、原稿を読取って得られた画像データを出力する際に、圧縮率、圧縮方法等の出力形式を予め設定する必要がある。従来の画像処理装置では、画像データは、設定された出力形式で、設定されたＰＣ（Personal Computer）などの端末装置に対して出力される。したがって、従来の画像処理装置では、出力された画像データに圧縮処理等に起因する欠損・劣化等があって、ユーザの所望する画像データではない場合、出力形式の設定を変更して、再度原稿の読取りからやり直す必要がある。
【０００３】
特許文献１には、ウェブページをダウンロードする前に、そのウェブページに含まれる画像情報の情報量、文字情報の情報量、および音声情報の情報量を表示する装置が記載されている。特許文献１に記載の装置は、それらの情報量を表示した上で、ウェブページをダウンロードする前に、それぞれの情報に対して圧縮率、解像度等を指定できるので、指定した圧縮率、解像度等で、画像情報、文字情報、および音声情報を、圧縮したり、解像度を変更したりして、効率的にウェブページをダウンロードすることができる。
【先行技術文献】
【特許文献】
【０００４】
【特許文献１】特開平１０−１０５４８０号公報
【発明の概要】
【発明が解決しようとする課題】
【０００５】
上記従来の画像処理装置と、特許文献１に記載の装置とを考慮すると、原稿を読取って得られた画像データに対し、原稿の読取後であって画像データの出力前に、その画像データの出力形式を選択できる装置が考えられる。
【０００６】
しかしながら、そのような装置であっても、ユーザは出力形式の選択の際に画像を確認することはできない。選択した出力形式の画像データをＰＣに出力した後に、ユーザが出力された画像データを確認しない限り、選択した出力形式の画像データがユーザの所望する画像データであるか否かはわからない。
【０００７】
したがって、そのような装置は、原稿の読取りは一度で済むものの、出力形式を変更して、何度も画像データを出力しなければならない。また、特許文献１に記載の装置は、１つのファイルに対して１つの圧縮率を指定するものであるので、複数の画像データからＰＤＦ（Portable Document Format）データ等のマルチページ形式の出力形式の画像データを作成する場合には、１つの圧縮率を選択すると、すべての画像データが同一の圧縮率で圧縮されたマルチページ形式の画像データが出力されてしまう。
【０００８】
本発明は、上述した問題を解決するためになされたものであって、ユーザが選択した出力形式で出力される画像データが所望の画像データであるか否かを予めユーザが判別でき、ユーザが判別をした上で、選択された出力形式で画像データを出力することができる画像処理装置、画像形成装置、画像処理プログラム、および画像処理プログラムを記録した記録媒体を提供することを目的とする。
【課題を解決するための手段】
【０００９】
本発明は、少なくとも１つ以上の端末装置とデータ通信する画像処理装置であって、
原稿画像データが入力されると、当該原稿画像データから、出力形式を変更した画像データである変更画像データを、１つの原稿画像データについて、異なる出力形式で、少なくとも２種類以上作成する出力形式変更手段と、
前記変更画像データの少なくとも１つからサムネイル画像データを作成するサムネイル画像作成手段と、
前記サムネイル画像データに基づくサムネイル画像を表示するウェブページであって、いずれの原稿画像データについていずれの変更画像データを端末装置に対して送信すべきであるかを示す選択情報を含む送信指示情報を、端末装置から前記画像処理装置に対して送信するためのウェブページを作成するウェブページ作成手段と、
前記ウェブページのＵＲＬを、端末装置に対して通知するＵＲＬ通知手段と、
前記ウェブページを、端末装置に対して公開するウェブページ公開手段と、
前記送信指示情報に基づいて、端末装置に対して送信すべき変更画像データを、端末装置に対して送信する画像送信手段とを備えることを特徴とする画像処理装置である。
【００１０】
また本発明は、前記画像送信手段は、原稿画像データについていずれの変更画像データを送信すべきかを判断する自動選択が可能であり、
前記送信指示情報は、いずれの原稿画像データが前記画像送信手段による自動選択の対象であるかを示す自動選択情報を含むことを特徴とする。
【００１１】
また本発明は、前記送信指示情報は、変更画像データを送信すべきでない原稿画像データはいずれの原稿画像データであるかを示す削除指示情報を含むことを特徴とする。
【００１２】
また本発明は、前記出力形式変更手段は、端末装置に対して送信すべき変更画像データとしてＰＤＦデータを作成することを特徴とする。
【００１３】
また本発明は、前記出力形式変更手段は、前記ＰＤＦデータの各ページについて、通常圧縮方法、および通常圧縮方法と比較してページの圧縮率が大きい高圧縮方法の、いずれか一方の圧縮方法を選択することを特徴とする。
【００１４】
また本発明は、前記ウェブページ作成手段は、前記画像送信手段が変更画像データを端末装置へ送信するのにかかる時間の予想値を、前記ウェブページ中に表示するように、前記ウェブページを作成することを特徴とする。
【００１５】
また本発明は、前記ウェブページ作成手段は、前記原稿画像データのデータサイズおよび前記変更画像データのデータサイズの少なくとも一方を、前記ウェブページ中に表示するように、前記ウェブページを作成することを特徴とする。
【００１６】
また本発明は、前記画像処理装置と、
前記原稿画像データに基づく画像を記録媒体に形成する画像形成部とを備えることを特徴とする画像形成装置である。
【００１７】
また本発明は、コンピュータを少なくとも１つ以上の端末装置と通信する画像処理装置として機能させる画像処理プログラムであって、
コンピュータを、
原稿画像データが入力されると、当該原稿画像データから、出力形式を変更した画像データである変更画像データを、１つの原稿画像データについて、異なる出力形式で、少なくとも２種類以上作成する出力形式変更手段と、
前記変更画像データの少なくとも１つからサムネイル画像データを作成するサムネイル画像作成手段と、
前記サムネイル画像データに基づくサムネイル画像を表示するウェブページであって、各原稿画像データについていずれの変更画像データを端末装置に対して送信すべきであるかの情報を含む選択情報を、端末装置から前記画像処理装置に対して送信するためのウェブページを作成するウェブページ作成手段と、
前記ウェブページのＵＲＬを、端末装置に対して通知するＵＲＬ通知手段と、
前記ウェブページを、端末装置に対して公開するウェブページ公開手段と、
前記選択情報に基づいて、端末装置に対して送信すべき変更画像データを、端末装置に対して送信する画像送信手段として機能させることを特徴とする画像処理プログラムである。
【００１８】
また本発明は、前記プログラムを記録したことを特徴とするコンピュータ読取可能な記録媒体である。
【発明の効果】
【００１９】
本発明によれば、変更画像データが所望する画像データであるか否かを、サムネイル画像を確認することによって判別でき、判別した上で、端末装置に対して送信すべき変更画像データを選択することができる。したがって、欠損・劣化等がある不所望の画像データが、端末装置に対して送信されることを防止することができる。
【００２０】
また本発明によれば、原稿画像データについていずれの変更画像データを送信すべきかを判断する自動選択を行うことができるので、送信すべき変更画像データをユーザが判断しなくとも、欠損等のない変更画像データを、端末装置に対して送信することができる。
【００２１】
また本発明によれば、原稿画像データのうち、送信を望まない原稿画像データの変更画像データについて、端末装置に対して送信しないようにすることができる。
【００２２】
また本発明によれば、変更画像データとしてＰＤＦデータを作成し、端末装置に対して送信することができる。
【００２３】
また本発明によれば、ＰＤＦデータの各ページについて、通常圧縮方法によって作成するか、高圧縮方法によって作成するかを選択することができる。
【００２４】
また本発明によれば、送信すべき変更画像データを端末装置に送信するのにかかる時間の予想値を確認した上で、送信すべき変更画像データを選択することができるので、所望する時間内で、端末装置に対して変更画像データを送信することができる。
【００２５】
また本発明によれば、原稿画像データのデータサイズおよび変更画像データのデータサイズの少なくとも一方を確認した上で、送信すべき変更画像データを選択することができるので、所望するデータサイズの変更画像データを、端末装置に対して送信することができる。
【００２６】
また本発明によれば、本発明に係る画像処理装置に入力された原稿画像データに基づく画像を形成することができる。よって、変更画像データ、およびその変更画像データの元となった原稿の複製の両方を取得することができる。
【００２７】
また本発明によれば、本発明に係る画像処理装置の有する各種手段の機能をコンピュータによって実現させることができ、本発明に係る画像処理装置と同様の効果を達成することができる。
【００２８】
また本発明によれば、コンピュータに読取らせることによって、コンピュータに、本発明に係る画像処理装置の有する各種手段の機能を実現させることができる。
【図面の簡単な説明】
【００２９】
【図１】画像処理装置１００を含む画像形成装置２００が、端末装置３００およびサーバ装置４００と接続された状態を示す概略図である。
【図２】制御ユニット部１１０の構成を機能的に示すブロック図である。
【図３】ウェブページ公開処理を示すフローチャートである。
【図４】トップページの表示例である画面１を示す図である。
【図５】ファイルページの表示例である画面２を示す図である。
【図６】ファイルページの他の表示例である画面３を示す図である。
【図７】データ編集ページの表示例である画面４を示す図である。
【図８】拡大画像ページの表示例である画面５を示す図である。
【図９】宛先ページの表示例である画面６を示す図である。
【図１０】個別宛先ページの表示例である画面７を示す図である。
【図１１】設定ページの表示例である画面８を示す図である。
【図１２】送信ページの表示例である画面９を示す図である。
【図１３】画像送信処理を示すフローチャートである。
【発明を実施するための形態】
【００３０】
初めに、本発明に係る画像処理装置および画像形成装置と、その周辺機器とについて説明する。本発明に係る画像処理装置は、少なくとも１つ以上の端末装置とデータ通信する。本発明に係る画像形成装置は、本発明に係る画像処理装置と、原稿画像データに基づく画像を記録媒体に形成する画像形成部とを備える。図１は、本発明に係る画像処理装置の実施形態である画像処理装置１００を含む画像形成装置２００が、端末装置３００およびサーバ装置４００と接続された状態を示す概略図である。画像形成装置２００は、本発明に係る画像形成装置の実施形態であり、画像処理装置１００と、画像形成部１６０と、給紙ユニット部１７０とを備える。
【００３１】
画像処理装置１００は、ＬＡＮ（Local Area Network）、インターネット等のネットワークによって端末装置３００および図示しない他の端末装置、ならびにサーバ装置４００と接続される。端末装置３００および他の端末装置もネットワークによってサーバ装置４００と接続されており、画像処理装置１００は、直接的に、またはサーバ装置４００を介して間接的に、端末装置との画像データの送受信を行う。
【００３２】
ここで、端末装置３００および他の端末装置は、ＰＣ等の一般的な端末装置であって、モニタ等の表示部、マウス、キーボード等の操作部、画像処理装置１００およびサーバ装置４００とデータ通信するための通信部、ならびにそれら各部を制御する制御ユニット部を備える装置である。端末装置３００および他の端末装置には、画像処理装置１００およびサーバ装置４００と通信するための一般的なドライバ、およびウェブページを閲覧するための一般的なブラウザがインストールされる。また、サーバ装置４００は、画像処理装置１００から送信された電子メールを、宛先ごとに分類して保存し、宛先となる端末装置に対して送信することができる。
【００３３】
次に、本発明に係る画像処理装置の構成について説明する。本発明に係る画像処理装置は、出力形式変更手段と、サムネイル画像形成手段と、ウェブページ作成手段と、ＵＲＬ（Uniform Resource Locator）通知手段と、ウェブページ公開手段と、画像送信手段とを備える。図１のブロック図に示すように、画像処理装置１００は、制御ユニット部１１０と、スキャナ部１２０と、表示部１３０と、操作部１４０と、通信部１５０とを備える。画像処理装置１００においては、制御ユニット部１１０および通信部１５０が、前記の各種手段として機能する。各種手段の機能については後述する。
【００３４】
スキャナ部１２０は、ＣＣＤ（Charge Coupled Device）等の画像読取手段であり、制御ユニット部１１０と接続される。スキャナ部１２０は、原稿からの反射光像をＲＧＢ（
Red Green Blue）のアナログ信号として読取り、読取ったアナログＲＧＢ信号を入力データとして制御ユニット部１１０に対して出力する。また、スキャナ部１２０は、複数枚の原稿を連続して読取った際には、複数の入力データとともに、読取った原稿の総ページ数および各原稿のページ番号を、制御ユニット部１１０に対して出力することができる。スキャナ部１２０が原稿を読取る方式は、原稿台に載置して読取る方式であっても、自動原稿読取装置を用いて読取る方式であってもよい。
【００３５】
表示部１３０は、液晶パネル等の表示手段であり、制御ユニット部１１０と接続される。表示部１３０は、制御ユニット部１１０からの命令に従って、所定の画像を表示する。
【００３６】
操作部１４０は、タッチパネル、キーボード等の操作手段であり、制御ユニット部１１０と接続される。操作部１４０は、ユーザによる操作部１４０の操作に基づいて、制御ユニット部１１０に対して所定の命令を出力する。
【００３７】
たとえば、ユーザは操作部１４０を操作することで、原稿サイズ、解像度、カラー／白黒等の画像読取条件を設定することができる。
【００３８】
通信部１５０は、通信ポート等の通信手段であり、制御ユニット部１１０と接続される。通信部１５０は、ネットワークによって端末装置およびサーバ装置４００と接続されており、制御ユニット部１１０からの命令に従って、端末装置およびサーバ装置４００とデータ通信する。
【００３９】
制御ユニット部１１０は、画像処理装置１００が機能するための所定のプログラム、設定データ、画像データ等を記憶する。所定のプログラムには、画像処理装置１００が後述する画像選択処理を行うための、画像処理プログラムが含まれる。また制御ユニット部１１０は、各部１２０〜１５０から出力されたデータを用いて演算を行う。また、制御ユニット部１１０は、演算の結果に基づいて、各部１２０〜１５０に対して命令を出力する。
【００４０】
図２は、制御ユニット部１１０の構成を機能的に示すブロック図である。制御ユニット部１１０は、入力画像処理部１０１と、画像データ処理部１０２と、圧縮画像作成部１０３と、サムネイル作成部１０４と、拡大表示用画像作成部１０５と、宛先処理部１０６と、宛先設定部１０７と、ウェブページ作成部１０８と、ウェブサーバ部１０９と、通信制御部１１１と、ＰＤＦ作成部１１２と、指示情報処理部１１３とを備える。上記の機能的に示すとは、制御ユニット部１１０は、画像選択処理において後述する各部１０１〜１０９，１１１〜１１３の各機能を発揮するように、ＣＰＵ（Central Processing Unit）等の制御部、ＲＡＭ（Random Access Memory）等の演算部、ＨＤＤ（H ard Disc Drive）、ＲＯＭ（Read Only Memory）等の記憶部を備えていることを意味している。よって、各部１０１〜１０９，１１１〜１１３はそれぞれ独立した部材であってもよいし、独立した部材でなくてもよい。前記の各種手段の各機能、および各部１０１〜１０９，１１１〜１１３との関係は以下の通りである。
【００４１】
画像処理装置１００においては、入力画像処理部１０１と、画像データ処理部１０２と、圧縮画像作成部１０３と、拡大表示用画像作成部１０５と、ＰＤＦ作成部１１２とが、出力形式変更手段となる。出力形式変更手段は、原稿画像データが入力されると、当該原稿画像データから、出力形式を変更した画像データである変更画像データを、１つの原稿画像について、異なる出力形式で、少なくとも２種類以上作成する。本実施形態において、変更画像データとは、圧縮画像データ、ＰＤＦデータ、および拡大表示用画像データを指す。これらの各種データについては後に詳述する。
【００４２】
また、画像処理装置１００においては、画像データ処理部１０２と、サムネイル作成部１０４とが、サムネイル画像作成手段となる。サムネイル画像作成手段は、変更画像データの少なくとも１つからサムネイル画像データを作成する。サムネイル画像データについては後に詳述する。
【００４３】
また、画像処理装置１００においては、画像データ処理部１０２と、宛先処理部１０６と、ウェブページ作成部１０８とが、ウェブページ作成手段となる。ウェブページ作成手段は、ウェブページを作成する。本実施形態において、ウェブページとは、サムネイル画像データに基づくサムネイル画像を表示するウェブページであって、いずれの原稿画像データについていずれの変更画像データを端末装置に対して送信すべきであるかを示す選択情報を含む送信指示情報を、端末装置から画像処理装置１００に対して送信するためのウェブページを指す。送信指示情報およびウェブページについては後に詳述する。
【００４４】
また、画像処理装置１００においては、宛先設定部１０７と、ウェブサーバ部１０９と、通信制御部１１１と、通信部１５０とが、ＵＲＬ通知手段となる。ＵＲＬ通知手段は、ウェブページのＵＲＬを、端末装置に対して通知する。
【００４５】
また、画像処理装置１００においては、ウェブサーバ部１０９と、通信制御部１１１と、通信部１５０とが、ウェブページ公開手段となる。ウェブページ公開手段は、ウェブページを、端末装置に対して公開する。
【００４６】
また、画像処理装置１００においては、画像データ処理部１０２と、通信制御部１１１と、指示情報処理部１１３と、通信部１５０とが、画像送信手段となる。画像送信手段は、送信指示情報に基づいて、端末装置に対して送信すべき変更画像データを、端末装置に対して送信する。また、画像送信手段は、原稿画像データについていずれの変更画像データを送信すべきかを判断する自動選択が可能である。自動選択については後に詳述する。
【００４７】
以下では、各部１０１〜１０９，１１１〜１１３の各機能を詳細に説明する。
入力画像処理部１０１は、スキャナ部１２０から出力された入力データに対して、Ａ／Ｄ（アナログ／デジタル）変換することで、アナログＲＧＢ信号をデジタルＲＧＢ信号に変換し、原稿画像データを作成する。また、入力画像処理部１０１は、原稿画像データに対して、従来公知の様々な前処理を行う。
【００４８】
ここで、前処理とは、スキャナ部１２０の照明系、結像系および撮像系で生じる各種の歪みを取り除くシェーディング補正処理、スキャナ部１２０の機械的特性および光学的特性によって発生するノイズを除去するノイズ除去処理、デジタルＲＧＢ信号の各値がある一定の値以上の領域を下地領域として分離する下地除去処理、デジタルＲＧＢ信号に基づいて、原稿画像データの各部分が文字領域、面積階調画像領域、および写真領域のいずれに該当するかを判別する領域分離処理等である。
【００４９】
画像データ処理部１０２は、画像データを記憶する。本実施形態において、画像データとは、前処理後の原稿画像データ（以下、単に「原稿画像データ」と称する）、圧縮画像データ、ＰＤＦデータ、サムネイル画像データ、および拡大表示用画像データを指す。画像データ処理部１０２が画像データを保持する期間を画像データ保持期間と呼ぶ。画像データ保持期間経過後、画像データは削除される。本実施形態においては、画像データ保持期間は７日間であるけれども、ユーザによって１日間〜１年間の中から選択され、設定された期間を画像データ保持期間とすることもできる。また、他の実施形態においては、画像データ処理部１０２は、画像データを、送信すべき変更画像データを送信するまで保持しておいてもよい。
【００５０】
また、画像データ処理部１０２は、原稿画像データを、文字原稿データ、画像原稿データ、および混在原稿データのいずれか１つの原稿種別に分類する。画像データ処理部１０２は、入力画像処理部１０１による領域分離の結果を用いて、下地領域を除いた原稿画像データ全部分に対して９０％以上の部分が文字領域である原稿画像データを文字原稿データと判断し、１５％以上の部分が面積階調画像領域または写真領域のいずれかである原稿画像データを画像原稿データと判断し、文字原稿データおよび画像原稿データのいずれにも属さない原稿画像データを混在原稿データと判断し、判断結果から原稿画像データの原稿種別を分類する。
【００５１】
また、画像データ処理部１０２は、ウェブページ作成部１０８に対して、原稿情報を出力する。原稿情報は、各画像データの、データサイズ、元となった原稿画像データの原稿種別、およびページ数情報を含む。ここで、ページ数情報とは、原稿画像データの総数を示す総ページ数、および各原稿画像データが全原稿画像データ中、何番目の原稿画像データであるかを示すページ番号である。
【００５２】
また、画像データ処理部１０２は、送信すべき変更画像データを、通信制御部１１１に対して出力する。
【００５３】
圧縮画像作成部１０３は、画像データ処理部１０２に記憶される原稿画像データから、圧縮画像データを作成する。圧縮画像データは、低圧縮画像データおよび高圧縮画像データを含む。低圧縮画像データは、元となる原稿画像データを、従来公知の圧縮方法によって圧縮して作成される画像データであって、たとえばＪＰＥＧ（Joint Photographic 
Experts Group）データ等である。高圧縮画像データは、低圧縮画像データよりもデータサイズが小さくなるように圧縮されたデータである。
【００５４】
高圧縮画像データは、単一データおよび複合データを含む。単一データとは、低圧縮画像データを作成する場合と比較して、原稿画像データを大きな圧縮率で圧縮して作成された画像データであって、たとえば高圧縮ＪＰＥＧデータ等である。複合データとは、前述した前処理によって領域分離されている原稿画像データを領域ごとに分割し、さらに、それぞれ異なる圧縮方法および圧縮率で圧縮して作成される分割データの集合である。複合データは、後述する高圧縮ＰＤＦデータを作成するのに用いられる。
【００５５】
サムネイル作成部１０４は、画像データ処理部１０２に記憶される低圧縮画像データからサムネイル画像データを作成する。サムネイル画像データは、従来公知の縮小方法によって、元となる低圧縮画像データの画像サイズを、１／２１〜１／１４６程度に縮小して作成される画像データである。
【００５６】
たとえば、端末装置の表示部の解像度が１０２４画素×７６８画像の場合、サムネイル画像データに基づいて表示されるサムネイル画像の面積が表示部全体の面積の１／１００程度の大きさになるように、サムネイル画像データは１００画素×７０画素の画像データに作成される。低圧縮画像データからサムネイル画像データを作成する際は、低圧縮画像データの長辺をサムネイル画像データの長辺に対応させ、低圧縮画像データの短辺をサムネイル画像データの短辺に対応させた上で、低圧縮画像データの長辺短辺の比を変更せずに、１００画素×７０画素の画像サイズに納まるように、低圧縮画像データが縮小される。たとえば、スキャナ部１２０の読取解像度が６００ｄｐｉで、読取った原稿がＡ４サイズである場合、低圧縮画像データの画像サイズは４９６０画素×７０１５画素となる。よって、低圧縮画像データの長辺は１００／７０１５以下に縮小される必要があり、短辺は７０／４９６０以下に縮小される必要がある。１００／７０１５＞７０／４９６０であるので、長辺短辺の比を変更せずに、サムネイル画像データの画像サイズに納まるように、低圧縮画像データは、より小さな縮小率である７０／４９６０で縮小される。したがって、サムネイル画像データの画像サイズは、低圧縮画像データの画像サイズの７０／４９６０≒１／７１程度となる。
【００５７】
拡大表示用画像作成部１０５は、画像データ処理部１０２に記憶される低圧縮画像データおよび高圧縮画像データから、拡大表示用画像データを作成する。拡大表示用画像データは、低圧縮画像データから作成される低圧縮拡大表示用画像データと、高圧縮画像データから作成される高圧縮拡大表示用画像データとを含む。
【００５８】
低圧縮拡大表示用画像データは、公知の縮小方法で低圧縮画像データを縮小することで作成される。高圧縮拡大表示用画像データを単一データから作成する場合も同様に、高圧縮拡大表示用画像データは、公知の縮小方法で単一データを縮小することで作成される。高圧縮拡大表示用画像データを複合データから作成する場合は、複合データを構成するすべての分割データを集合させ、レイヤー構造の１つの画像データとした上で、その画像データを公知の縮小方法で縮小して作成される。いずれの拡大表示用画像データも、元となる圧縮画像データの画像サイズを、１／２．６〜１／１８．３程度に縮小して作成される画像データである。
【００５９】
たとえば、端末装置の表示部の解像度が１０２４画素×７６８画像の場合、低圧縮拡大表示用画像データに基づいて表示される低圧縮拡大画像の面積が表示部全体の面積の１／１０程度の大きさになるように、低圧縮拡大表示用画像データは８００画素×５６０画素の画像データに作成される。低圧縮画像データから低圧縮拡大表示用画像データを作成する際は、低圧縮画像データの長辺を低圧縮拡大表示用画像データの長辺に対応させ、低圧縮画像データの短辺を低圧縮拡大表示用画像データの短辺に対応させた上で、低圧縮画像データの長辺短辺の比を変更せずに、８００画素×５６０画素の画像サイズに納まるように、低圧縮画像データが縮小される。たとえば、スキャナ部１２０の読取解像度が６００ｄｐｉで、読取った原稿がＡ４サイズである場合、低圧縮画像データの画像サイズは４９６０画素×７０１５画素となる。よって、低圧縮画像データの長辺は８００／７０１５以下に縮小される必要があり、短辺は５６０／４９６０以下に縮小される必要がある。８００／７０１５＞５６０／４９６０であるので、長辺短辺の比を変更せずに、低圧縮拡大表示用画像データの画像サイズに納まるように、低圧縮画像データは、より小さな縮小率である５６０／４９６０で縮小される。したがって、低圧縮拡大表示用画像データの画像サイズは、低圧縮画像データの画像サイズの５６０／４９６０≒１／８．９程度となる。高圧縮拡大表示用画像データの画像サイズも、同様に決定される。
【００６０】
宛先処理部１０６は、変更画像データを受信可能な宛先を記憶する。宛先とは、画像処理装置１００とデータ通信可能な端末装置に割振られた電子メールアドレス、端末番号等である。
【００６１】
宛先設定部１０７は、後述するＵＲＬ通知メールの送信対象となる宛先を記憶する。たとえば、ユーザは、操作部１４０を操作することで、表示部１３０に宛先処理部１０６の記憶する宛先を表示させ、表示された複数の宛先の中からＵＲＬ通知メールを送信したい宛先を選択して、宛先設定部１０７に記憶させることができる。
【００６２】
ウェブページ作成部１０８は、画像データ処理部１０２から出力された原稿情報と、画像データ処理部１０２に記憶される画像データと、宛先処理部１０６に記憶される宛先とからウェブページを作成する。ここで、ウェブページは１つのページまたは互いにハイパーリンクする複数のページである。以下では、ウェブページが複数のページである場合、各ページに対しても、ウェブページと称する。
【００６３】
ウェブページは、サムネイル画像データに基づくサムネイル画像を表示するウェブページである。本実施形態においては、ウェブページは、１つの原稿画像データについて１つのサムネイル画像を表示する。他の実施形態においては、ウェブページは、所定数の原稿画像データについて１つのサムネイル画像を表示してもよい。
【００６４】
また、ウェブページは、画像送信手段が変更画像データを端末装置へ送信するのにかかる時間の予想値を、ウェブページ中に表示する。たとえば、ウェブページは、変更画像データのデータサイズと、端末装置が画像処理装置１００から１０秒間に受信した情報量から算出された通信速度とから、変更画像データの送信にかかる予想時間を予想して表示する。
【００６５】
また、ウェブページは、拡大表示用画像データに基づく拡大画像を表示する。拡大画像は、低圧縮拡大表示用画像データに基づく低圧縮拡大画像と、高圧縮拡大表示用画像データに基づく高圧縮拡大画像とを含む。また、ウェブページは、原稿画像データのデータサイズおよび変更画像データのデータサイズの少なくとも一方を、ウェブページ中に表示する。また、ウェブページは、原稿情報の少なくとも１つを表示する。
【００６６】
たとえば、ウェブページは、１つのページ中に、１つの原稿画像データについて、拡大画像、原稿画像データおよび変更画像データのデータサイズ、原稿種別を表示してもよい。
【００６７】
また、ウェブページは、送信指示情報を端末装置から画像処理装置１００に対して送信するためのウェブページである。たとえば、端末装置の表示部に表示されたウェブページ中に表示されるボタンを、端末装置のマウス等で選択し、クリックすることで、端末装置から画像処理装置１００に対して、送信指示情報が送信される。
【００６８】
ここで、送信指示情報は、いずれの原稿画像データについていずれの変更画像データを送信するべきであるかを示す選択情報を含む。本実施形態においては、選択情報は、各原稿画像データについて、比較的低圧縮率の変更画像データを送信すべきという低圧縮指示、または比較的高圧縮率の変更画像データを送信すべきという高圧縮指示であり、かつ、その指示の対象となる原稿画像データを示す情報である。他の実施形態においては、選択情報は、低圧縮率および高圧縮率以外の、他の圧縮方法・圧縮率による変更画像データを送信する指示を含んでいてもよい。
【００６９】
また、送信指示情報は、いずれの原稿画像データが画像送信手段による自動選択の対象であるかを示す自動選択情報を含む。また、送信指示情報は、変更画像データを送信すべきでない原稿画像データはいずれの原稿画像データであるかを示す削除指示情報を含む。また、送信指示情報は、送信すべき変更画像データは、マルチページ形式の変更画像データであるか、または、シングルページ形式の変更画像データであるかを示す形式指示情報を含む。本実施形態においては、マルチページ形式の変更画像データとして、ＰＤＦデータが作成される。
【００７０】
また、送信指示情報は、画像送信手段が自動選択する際に用いるべき閾値を示す自動選択閾値情報を含む。自動選択閾値情報は、画像処理装置１００が予め記憶する複数の閾値の中の１つの閾値を示す情報であっても、ユーザから入力された数値であってもよい。閾値については後述する。また、送信指示情報は、変更画像データを送信すべき宛先を示す宛先指示情報を含む。宛先指示情報は、変更画像データを送信すべき宛先として、複数の宛先を含んでいてもよい。
【００７１】
ウェブサーバ部１０９は、ウェブページ作成部１０８によって作成されたウェブページを記憶する。ウェブページサーバ部１０９がウェブページを保持する期間をウェブページ保持期間と呼ぶ。ウェブページ保持期間経過後、ウェブページは削除される。本実施形態においては、ウェブページ保持期間は７日間であるけれども、ユーザによって１日間〜１年間の中から選択され、設定された期間をウェブページ保持期間とすることもできる。また、他の実施形態においては、ウェブサーバ部１０９は、ウェブページを、送信すべき変更画像データを送信するまで保持しておいてもよい。
【００７２】
また、ウェブサーバ部１０９は、ウェブページを特定するＵＲＬ（以下、単に「ＵＲＬ」と称する）を通信制御部１１１に対して出力する。たとえば、ウェブサーバ部１０９は、作成されたウェブページが互いにハイパーリンクする複数のページである場合、トップページのＵＲＬを、通信制御部１１１に対して出力する。
【００７３】
通信制御部１１１は、宛先設定部１０７に記憶される宛先と、ウェブサーバ部１０９から出力されたＵＲＬとから、ＵＲＬ通知メールを作成する。ＵＲＬ通知メールとは、ウェブサーバ部１０９に記憶されたウェブページを特定するＵＲＬが記載された電子メールであって、宛先設定部１０７に記憶された宛先を送信対象とする電子メールである。また、通信制御部１１１は、作成されたＵＲＬ通知メールをサーバ装置４００に対して送信するように、通信部１５０を制御する。本実施形態においては、このように電子メールを用いて、サーバ装置４００を介して、端末装置に対してＵＲＬを通知するけれども、他の実施形態においては、ＳＮＭＰ（Simple Network Management Protocol）のトラップ等によって、サーバ装置４００を介さずに直接通知するものであってもよい。また、本実施形態においては、ウェブページ保持期間の経過によって、ウェブサーバ部がウェブページを削除した場合、ＵＲＬの通知と同様の方法で、端末装置に対して、ウェブページを削除したことを通知する。
【００７４】
また、通信制御部１１１は、端末装置から送信された、ＵＲＬに基づくウェブページ取得リクエストを受信すると、そのＵＲＬによって特定されるウェブページをウェブサーバ部１０９から読出し、読み出したウェブページを当該端末装置に対して送信するように、通信部１５０を制御する。また、通信制御部１１１は、そのウェブページとハイパーリンクするウェブページをウェブサーバ部１０９から読出し、読み出したウェブページを端末装置に対して送信するように、通信部１５０を制御する。
【００７５】
また、通信制御部１１１は、端末装置からの送信指示情報を受信すると、指示情報処理部１１３に対して、その送信指示情報を出力する。また、通信制御部１１１は、画像データ処理部１０２から出力された送信すべき変更画像データを、送信すべき宛先に対して送信するように、通信部１５０を制御する。
【００７６】
ＰＤＦ作成部１１２は、画像データ処理部１０２に記憶される低圧縮画像データおよび複合データから、端末装置に対して送信すべき変更画像データとしてＰＤＦデータを作成する。また、ＰＤＦ作成部１１２は、ＰＤＦデータの各ページについて、通常圧縮方法、および通常圧縮方法と比較してページの圧縮率が大きい高圧縮方法のいずれの圧縮方法においても、ＰＤＦデータを作成可能である。各ページについて、通常圧縮方法および高圧縮方法のいずれを用いるかは、端末装置から送信される選択情報および自動選択情報によって決定される。また、ＰＤＦ作成部１１２は、削除指示情報の対象となる原稿画像データについては、ページを作成しない。
【００７７】
ここで、通常圧縮方法とは、低圧縮画像データをそのままＰＤＦデータの１ページとして用いる方法である。高圧縮方法とは、複合データ中の各分割データを、ＰＤＦデータのレイヤー構造を利用して、異なる圧縮率・圧縮方法のまま、１つにまとめ、元の原稿画像データを再現する方法である。以下では、通常圧縮方法によって作成されたページを通常圧縮ページ、高圧縮方法によって作成されたページを高圧縮ページと称する。分割データは領域ごとに異なる圧縮方法および圧縮率で圧縮されており、それらをまとめて作成される高圧縮ページは、通常圧縮ページよりもデータサイズが小さい。
【００７８】
指示情報処理部１１３は、通信制御部１１１から出力された送信指示情報から、送信すべき変更画像データを確認または判断し、送信すべき宛先を確認し、画像データ処理部１０２、通信制御部１１１、およびＰＤＦ作成部１１２それぞれに対して命令を出力する。
【００７９】
指示情報処理部１１３は、形式指示情報から、送信すべき変更画像データはマルチページ形式の変更画像データであるか、シングルページ形式の変更画像データであるかを確認する。たとえば、マルチページ形式であると判断した場合、指示情報処理部１１３は、ＰＤＦ作成部１１２にＰＤＦデータを作成させ、画像データ処理部１０２にそのＰＤＦデータを記憶させて、通信制御部１１１に対して出力させる。シングルページ形式であると判断した場合、指示情報処理部１１３は、画像データ処理部１０２に、低圧縮画像データおよび単一データの少なくとも一方を、通信制御部１１１に対して出力させる。
【００８０】
また、指示情報処理部１１３は、選択情報から、いずれの原稿画像データについていずれの変更画像データを送信するべきであるかを確認する。たとえば、指示情報処理部１１３は、マルチページ形式の場合、低圧縮指示の対象となる原稿画像データについては通常圧縮ページとし、高圧縮指示の対象となる原稿画像データについては高圧縮ページとして、ＰＤＦ作成部１１２にＰＤＦデータを作成させる。また、指示情報処理部１１３は、シングルページ形式の場合、低圧縮指示の対象となる原稿画像データについては低圧縮画像データを送信すべき変更画像データとし、高圧縮指示の対象となる原稿画像データについては単一データを送信すべき変更画像データとして、画像データ処理部１０２に、送信すべき変更画像データを、通信制御部１１１に対して出力させる。
【００８１】
また、指示情報処理部１１３は、削除指示情報から、変更画像データを送信すべきでない原稿画像データはいずれの原稿画像データであるかを確認する。たとえば、指示情報処理部１１３は、マルチページ形式の場合、削除指示の対象となる原稿画像データについては、当該原稿画像データから通常圧縮ページおよび高圧縮ページのいずれも作成させずに、ＰＤＦ作成部１１２にＰＤＦデータを作成させる。また、指示情報処理部１１３は、シングルページ形式の場合、削除指示の対象となる原稿画像データについては、当該原稿画像データから作成された変更画像データは送信すべき変更画像データではないとして、画像データ処理部１０２に、その変更画像データを、通信制御部１１１に対して出力させないようにする。
【００８２】
また、指示情報処理部１１３は、原稿画像データについていずれの変更画像データを送信すべきかを判断する自動選択が可能であり、その自動選択の対象となる原稿画像データを、自動選択情報から確認する。本実施形態においては、指示情報処理部１１３は、自動選択に所定の閾値を用いる。たとえば、自動選択として、指示情報処理部１１３は、自動選択の対象となる原稿画像データのデータサイズが閾値未満である場合には、その原稿画像データについて低圧縮指示の対象であるものとして扱い、自動選択の対象となる原稿画像データのデータサイズが閾値以上である場合には、その原稿画像データについて高圧縮指示の対象であるものとして扱う。指示情報処理部１１３は、自動選択において、画像処理装置１００が予め記憶する閾値を用いてもよく、また、自動選択閾値情報から閾値を確認して、その閾値を用いてもよい。また、指示情報処理部１１３は、自動選択において、原稿画像データの原稿種別ごとに異なる閾値を用いてもよい。
【００８３】
また、指示情報処理部１１３は、宛先指示情報から、変更画像データを送信すべき宛先を確認し、通信制御部１１１に、送信すべき宛先の情報を出力する。
【００８４】
次に、画像処理装置１００による画像選択処理について説明する。画像選択処理は、原稿を読取ってからＵＲＬ通知メールを送信するまでのウェブページ公開処理と、送信指示情報を受信してから変更画像データを削除するまでの画像送信処理とを含む。図３は、ウェブページ公開処理を示すフローチャートである。
【００８５】
まず、画像処理装置１００は、原稿を読取ると、入力データから、原稿画像データを作成する（ステップＳ１）。次に、画像処理装置１００は、原稿画像データから、圧縮画像データを作成する（ステップＳ２）。次に、画像処理装置１００は、低圧縮画像データからサムネイル画像データを、圧縮画像データから拡大表示用画像データを、それぞれ作成する（ステップＳ３）。次に、画像処理装置１００は、画像データ、変更画像データ等から、ウェブページを作成する（ステップＳ４）。最後に、画像処理装置１００は、ウェブページを公開し、ＵＲＬ通知メールを送信する（ステップＳ５）。
【００８６】
以上のウェブページ公開処理によって送信されたＵＲＬ通知メールは、一時的に、サーバ装置４００に保存され、端末装置からの電子メール取得の指示に従って、宛先となる端末装置に送信される。ＵＲＬ通知メールを受信した端末装置は、そのメールに記載されているＵＲＬに基づいて、ブラウザによって、ウェブページを閲覧することができる。ユーザは、端末装置の表示部に表示されたウェブページを操作することで、画像処理装置１００に対して、所定の送信指示情報を送信することができる。
【００８７】
以下に、ウェブページの具体例を説明する。本実施形態においては、ウェブページは、互いにハイパーリンクする、トップページ、ファイルページ、宛先ページ、設定ページ、および送信ページと、ファイルページとハイパーリンクする拡大画像ページおよびデータ編集ページと、宛先ページとハイパーリンクする個別宛先ページとからなる。本実施形態においては、ウェブページのＵＲＬのうち、トップページのＵＲＬが、端末装置に対して通知される。以下において、異なるウェブページ中であっても参照符号が同一のものは、同一の機能を有しており、説明を省略する。
【００８８】
端末装置から、通知されたＵＲＬに基づいて、ウェブページを閲覧すると、はじめに、トップページが表示される。図４は、トップページの表示例である画面１を示す図である。トップページは、トップページ遷移ボタン１１ａ、ファイルページ遷移ボタン１１ｂ、宛先ページ遷移ボタン１１ｃ、設定ページ遷移ボタン１１ｄ、および送信ページ遷移ボタン１１ｅからなる遷移ボタン１１と、マルチページ形式選択ボタン１２ａおよびシングルページ形式選択ボタン１２ｂからなる形式選択ボタン１２と、データ選択ボタン１３と、選択ページ番号表示部１４ａと、総ページ数表示部１４ｂとを含む。
【００８９】
遷移ボタン１１は、表示中のウェブページを、トップページ、または互いにハイパーリンクする他のウェブページへ遷移させるためのボタンである。遷移ボタン１１および後述する各種のボタンは、ユーザがマウス等によりポインタを移動させクリックすることで、非選択状態と選択状態とが切り替わり、状態に応じてボタンの色が変化する。たとえば、非選択状態のときボタンは白色となり、選択状態のときボタンは黒色となる。遷移ボタン１１は、排他的ボタンであり、遷移ボタン１１中の１つのボタンが選択状態になると、遷移ボタン１１中の他のボタンは非選択状態になる。
【００９０】
ユーザは、表示中のウェブページを、トップページ遷移ボタン１１ａを選択状態にすることでトップページに、ファイルページ遷移ボタン１１ｂを選択状態にすることで後述するファイルページに、宛先ページ遷移ボタン１１ｃを選択状態にすることで後述する宛先ページに、設定ページ遷移ボタン１１ｄを選択状態にすることで後述する設定ページに、送信ページ遷移ボタン１１ｅを選択状態にすることで後述する送信ページに、それぞれ遷移させることができる。遷移ボタン１１中の１つのボタンが選択状態であることは、そのボタンに対応するウェブページが表示中であることを示す。
【００９１】
形式選択ボタン１２は、形式指示情報を送信するためのボタンである。ユーザは、マルチページ形式選択ボタン１２ａを選択状態にすることで、マルチページ形式の変更画像データを送信する指示を送信することができ、シングルページ形式選択ボタン１２ｂを選択状態にすることで、シングルページ形式の変更画像データを送信する指示を送信することができる。形式選択ボタン１２は、排他的ボタンであり、いずれか一方のみが選択状態となることができる。ウェブページに対して操作がされる前の状態（以下、「デフォルト状態」と称する）では、マルチページ形式選択ボタン１２ａが選択状態である。画面１には、選択状態のマルチページ形式選択ボタン１２ａが表示されている。
【００９２】
データ選択ボタン１３は、送信指示情報を編集したい原稿画像データを選択するためのボタンである。ユーザは、データ選択ボタン１３によって、最大で３つの原稿画像データを同時に選択できる。デフォルト状態では、原稿画像データ中のページ番号が最も小さい原稿画像データが選択されており、ユーザは、データ選択ボタン１３をクリックすることによって、順次、ページ番号が大きい原稿画像データを選択できる。
【００９３】
選択ページ番号表示部１４ａは、データ選択ボタン１３によって選択されている原稿画像データのページ番号を表示する。画面１には、選択ページ番号表示部１４ａに、選択された原稿画像データのページ番号である「４〜６」が表示されている。
【００９４】
総ページ数表示部１４ｂは、総ページ数を表示する。画面１には、総ページ数表示部１４ｂに、総ページ数「１５」が表示されている。
【００９５】
ファイルページは、ファイルページ遷移ボタン１１ｂが選択状態になることで他のウェブページから遷移するウェブページであって、選択中の送信指示情報を反映する。図５は、ファイルページの表示例である画面２を示す図であり、図６は、ファイルページの他の表示例である画面３を示す図である。ファイルページは、遷移ボタン１１と、第１データ編集部２１ａと、第２データ編集部２１ｂと、第３データ編集部２１ｃとを含む。
【００９６】
第１データ編集部２１ａは、データ選択ボタン１３によって選択された原稿画像データのうち、最もページ番号が小さい原稿画像データの送信指示情報を編集する部分である。第２データ編集部２１ｂは、データ選択ボタン１３によって選択された原稿画像データのうち、２番目にページ番号が小さい原稿画像データの送信指示情報を編集する部分である。第３データ編集部２１ｃは、データ選択ボタン１３によって選択された原稿画像データのうち、３番目にページ番号が小さい原稿画像データの送信指示情報を編集する部分である。データ選択ボタン１３によって選択された原稿画像データの数が１である場合、第２データ編集部２１ｂおよび第３データ編集部２１ｃは、対応する原稿画像データがないので、何も表示されず、選択状態にできるボタンも表示されない。データ選択ボタン１３によって選択された原稿画像データの数が２である場合、第３データ編集部２１ｃは、対応する原稿画像データがないので、何も表示されず、選択状態にできるボタンも表示されない。画面２および画面３には、ページ番号が４〜６の原稿画像データが、それぞれ、第１データ編集部２１ａ、第２データ編集部２１ｂ、および第３データ編集部２１ｃに対応している状態が表示されている。
【００９７】
第１データ編集部２１ａは、第１ページ番号表示部２２ａと、第１サムネイル表示部２３ａと、第１編集ページ遷移ボタン２４ａと、第１低圧縮指示ボタン２５ａａ、第１高圧縮指示ボタン２５ａｂ、第１自動選択ボタン２５ａｃ、および第１削除指示ボタン２５ａｄからなる第１編集ボタン２５ａとを含む。第２データ編集部２１ｂは、第２ページ番号表示部２２ｂと、第２サムネイル表示部２３ｂと、第２編集ページ遷移ボタン２４ｂと、第２低圧縮指示ボタン２５ｂａ、第２高圧縮指示ボタン２５ｂｂ、第２自動選択ボタン２５ｂｃ、および第２削除指示ボタン２５ｂｄからなる第２編集ボタン２５ｂとを含む。第３データ編集部２１ｃは、第３ページ番号表示部２２ｃと、第３サムネイル表示部２３ｃと、第３編集ページ遷移ボタン２４ｃと、第３低圧縮指示ボタン２５ｃａ、第３高圧縮指示ボタン２５ｃｂ、第３自動選択ボタン２５ｃｃ、および第３削除指示ボタン２５ｃｄからなる第３編集ボタン２５ｃとを含む。以下に、第１データ編集部２１ａの各部分について詳細に説明する。第２データ編集部２１ｂの各部分および第３データ編集部２１ｃの各部分は、第１データ編集部２１ａの各部分と同様の設定・機能であるので、その説明は省略する。
【００９８】
第１ページ番号表示部２２ａは、対応する原稿画像データのページ番号を表示する。画面２および画面３には、第１ページ番号表示部２２ａに、ページ番号「４」が表示されている。
【００９９】
第１サムネイル表示部２３ａは、対応する原稿画像データのサムネイル画像データに基づくサムネイル画像を表示する。画面２および画面３には、第１サムネイル表示部２３ａに、ページ番号「４」の原稿画像データのサムネイル画像が表示されている。また、ユーザは、後述する第１低圧縮指示ボタン２５ａａ、第１高圧縮指示ボタン２５ａｂ、または第１自動選択ボタン２５ａｃを選択状態にして、第１サムネイル表示部２３ａをクリックすることで、ファイルページを、後述する拡大画像ページへ遷移させることができる。後述する第１削除指示ボタン２５ａｄが選択状態のときに、第１サムネイル表示部２３ａがクリックされても、ファイルページは遷移しない。
【０１００】
第１編集ページ遷移ボタン２４ａは、後述するデータ編集ページへ遷移するためのボタンである。ユーザは、後述する第１編集ボタン２５ａのいずれか１つを選択状態にして、第１編集ページ遷移ボタン２４ａをクリックすることで、ファイルページを、第１データ編集部２１ａに対応する原稿画像データのデータ編集ページへ遷移させることができる。後述する第１編集ボタン２５ａのいずれも非選択状態のときに、第１編集ページ遷移ボタン２４ａがクリックされても、ファイルページは遷移しない。
【０１０１】
第１低圧縮指示ボタン２５ａａは選択情報を送信するためのボタンである。ユーザは、第１低圧縮指示ボタン２５ａａを選択状態にすることで、対応する原稿画像データについて、低圧縮指示を送信することができる。
【０１０２】
また、第１低圧縮指示ボタン２５ａａは、対応する原稿画像データについて、形式選択ボタン１２により選択された形式、およびその形式での変更画像データのデータサイズを表示する。画面２には、第１低圧縮指示ボタン２５ａａに、マルチページ形式選択ボタン１２ａが選択された結果として「ＰＤＦ」が表示され、対応する原稿画像データの低圧縮画像データから作成される通常圧縮ページのデータサイズである「２５０Ｋｂｙｔｅ」が表示されている。また、画面３には、第１低圧縮指示ボタン２５ａａに、シングルページ形式選択ボタン１２ｂが選択された結果として「ＪＰＥＧ」が表示され、対応する原稿画像データの低圧縮画像データのデータサイズである「２００Ｋｂｙｔｅ」が表示されている。
【０１０３】
第１高圧縮指示ボタン２５ａｂは選択情報を送信するためのボタンである。ユーザは、第１高圧縮指示ボタン２５ａｂを選択状態にすることで、対応する原稿画像データについて、高圧縮指示を送信することができる。
【０１０４】
また、第１高圧縮指示ボタン２５ａｂは、対応する原稿画像データについて、形式選択ボタン１２により選択された形式、およびその形式での変更画像データのデータサイズを表示する。画面２には、第１高圧縮指示ボタン２５ａｂに、マルチページ形式選択ボタン１２ａが選択された結果として「高ＰＤＦ」が表示され、対応する原稿画像データの複合データから作成される高圧縮ページのデータサイズである「４０Ｋｂｙｔｅ」が表示されている。また、画面３には、第１高圧縮指示ボタン２５ａｂに、シングルページ形式選択ボタン１２ｂが選択された結果として「高ＪＰＥＧ」が表示され、対応する原稿画像データの単一データのデータサイズである「３０Ｋｂｙｔｅ」が表示されている。
【０１０５】
第１自動選択ボタン２５ａｃは自動選択情報を送信するためのボタンである。ユーザは、第１自動選択ボタン２５ａｃを選択状態にすることで、対応する原稿画像データを自動選択の対象とする自動選択情報を送信することができる。
【０１０６】
第１削除指示ボタン２５ａｄは削除指示情報を送信するためのボタンである。ユーザは、第１削除指示ボタン２５ａｄを選択状態にすることで、対応する原稿画像データを削除指示の対象とする削除指示情報を送信することができる。
【０１０７】
第１編集ボタン２５ａは、排他的ボタンであり、第１編集ボタン２５ａ中の１つのボタンが選択状態になると、第１編集ボタン２５ａ中の他のボタンは非選択状態になる。デフォルト状態では、第１自動選択ボタン２５ａｃが非選択状態である。画面２および画面３には、選択状態の第１低圧縮指示ボタン２５ａａが表示されている。
【０１０８】
データ編集ページは、第１編集ボタン２５ａのいずれか１つが選択状態のときに、第１編集ページ遷移ボタン２４ａがクリックされることで他のウェブページから遷移するウェブページであって、第１データ編集部２１ａに対応する原稿画像データを対象とするウェブページである。図７は、データ編集ページの表示例である画面４を示す図である。画面４は、ページ番号「６」の原稿画像データのデータ編集ページの表示例である。データ編集ページは、総ページ数表示部１４ｂと、編集対象ページ番号表示選択部４１と、原稿種別表示部４２と、拡大画像表示部４３と、実サイズ表示部４４ａと、合計実サイズ表示部４４ｂと、変更サイズ表示部４５ａと、合計変更サイズ表示部４５ｂと、予想送信時間表示部４６と、低圧縮指示ボタン４７ａ、高圧縮指示ボタン４７ｂ、自動選択ボタン４７ｃ、および削除指示ボタン４７ｄからなる編集ボタン４７と、戻るボタン４８とを含む。
【０１０９】
編集対象ページ番号表示選択部４１は、対象となる原稿画像データのページ番号を表示する。また、編集対象ページ番号表示選択部４１から、任意のページ番号を選択することもでき、ページ番号が選択されることによって、選択されたページ番号の原稿画像データを対象とするデータ編集ページが表示される。画面４には、編集対象ページ番号表示選択部４１に、ページ番号「６」が表示されている。
【０１１０】
原稿種別表示部４２は、対象となる原稿画像データの原稿種別を表示する。画面４には、原稿種別表示部４２に、原稿種別「混在原稿」が表示されている。
【０１１１】
拡大画像表示部４３は、対象となる原稿画像データの拡大表示用画像データに基づく拡大画像を表示する。拡大画像表示部４３は、対象となる原稿画像データに対する、選択中の送信指示情報に基づいて拡大画像を表示する。対象となる原稿画像データに対する送信指示情報として、低圧縮指示が選択されている場合は、拡大画像表示部４３は、低圧縮拡大表示用画像データに基づく低圧縮拡大画像を表示する。対象となる原稿画像データに対する送信指示情報として、マルチページ形式にする指示が選択され、かつ、高圧縮指示が選択されている場合は、拡大画像表示部４３は、複合データから作成された高圧縮拡大表示用画像データに基づく高圧縮拡大画像を表示する。対象となる原稿画像データに対する送信指示情報として、シングルページ形式にする指示が選択され、かつ、高圧縮指示が選択されている場合は、拡大画像表示部４３は、単一データから作成された高圧縮拡大表示用画像データに基づく高圧縮拡大画像を表示する。対象となる原稿画像データに対する送信指示情報として、自動選択にする指示が選択されている場合は、拡大画像表示部４３は、自動選択の結果に基づいて、上記のいずれかの拡大表示用画像データに基づく拡大画像を表示する。なお、自動選択は、原稿画像データの原稿種別、データサイズ、および後述する設定ページの閾値を用いて行われる。
【０１１２】
実サイズ表示部４４ａは、対象となる原稿画像データのデータサイズを表示する。画面４には、実サイズ表示部４４ａに、原稿画像データのデータサイズ「８００Ｋｂｙｔｅ」が表示されている。
【０１１３】
合計実サイズ表示部４４ｂは、全原稿画像データの合計のデータサイズを表示する。画面４には、合計実サイズ表示部４４ｂに、全原稿画像データの合計のデータサイズ「２５Ｍｂｙｔｅ」が表示されている。
【０１１４】
変更サイズ表示部４５ａは、選択中の送信指示情報を反映し、送信すべき変更画像データのデータサイズを表示する。送信すべき変更画像データのデータサイズは、対象となる原稿画像データに対する送信指示情報が、通常圧縮ページを作成する指示の場合は通常圧縮ページのデータサイズ、高圧縮ページを作成する指示の場合は高圧縮ページのデータサイズ、低圧縮画像データを送信する指示の場合は低圧縮画像データのデータサイズ、単一データを送信する指示の場合は単一データのデータサイズ、変更画像データを送信しない指示の場合は「０」、自動選択する指示の場合は自動選択によって送信される変更画像データのデータサイズ、である。なお、自動選択は、原稿画像データの原稿種別、データサイズ、および後述する設定ページの閾値を用いて行われる。
【０１１５】
合計変更サイズ表示部４５ｂは、送信すべき変更画像データのデータサイズの合計を表示する。送信すべき変更画像データのデータサイズの合計は、各原稿画像データについての、選択中の送信指示情報から算出された変更画像データのデータサイズを合計したものである。
【０１１６】
予想送信時間表示部４６は、送信すべき変更画像データをすべて送信するのにかかる時間の予想値を表示する。予想値は、送信すべき変更画像データのデータサイズの合計と、端末装置の通信速度とから算出される。
【０１１７】
編集ボタン４７は、送信指示情報を送信するためのボタンである。ユーザは、低圧縮指示ボタン４７ａを選択状態にすることで低圧縮指示を、高圧縮指示ボタン４７ｂを選択状態にすることで高圧縮指示を、自動選択ボタン４７ｃを選択状態にすることで自動選択情報を、削除指示ボタン４７ｄを選択することで削除指示情報を、それぞれ送信することができる。編集ボタン４７は、排他的ボタンであり、編集ボタン４７中の１つのボタンが選択状態になると、編集ボタン４７中の他のボタンは非選択状態になる。編集ボタン４７は、データ編集ページへ遷移する前に選択されていた送信指示情報を反映する。
【０１１８】
戻るボタン４８は、データ編集ページをファイルページへ遷移させるためのボタンである。ユーザは、戻るボタン４８をクリックすることで、データ編集ページをファイルページへ遷移させることができる。
【０１１９】
拡大画像ページは、第１低圧縮指示ボタン２５ａａ、第１高圧縮指示ボタン２５ａｂ、または第１自動選択ボタン２５ａｃが選択状態のときに、第１サムネイル表示部２３ａがクリックされることで他のウェブページから遷移するウェブページであって、第１編集部２１ａに対応する原稿画像データを対象とするウェブページである。図８は、拡大画像ページの表示例である画面５を示す図である。画面５は、ページ番号「６」の原稿画像データの拡大画像ページの表示例である。拡大画像ページは、拡大画像表示部４３と、戻るボタン５１とを含む。
【０１２０】
戻るボタン５１は、拡大画像ページをファイルページへ遷移させるためのボタンである。ユーザは、戻るボタン５１をクリックすることで、拡大画像ページをファイルページへ遷移させることができる。
【０１２１】
宛先ページは、宛先ページ遷移ボタン１１ｃが選択状態になることで他のウェブページから遷移するウェブページである。図９は、宛先ページの表示例である画面６を示す図である。宛先ページは、遷移ボタン１１と、デフォルト宛先ボタン６１と、個別宛先ページ遷移ボタン６２とを含む。
【０１２２】
デフォルト宛先ボタン６１は、宛先指示情報を送信するためのボタンである。ユーザは、デフォルト宛先ボタン６１を選択状態にすることで、送信すべき変更画像データを、ＵＲＬ通知メールが送信された端末装置に対して送信する指示を送信することができる。デフォルト状態では、デフォルト宛先ボタン６１が選択状態である。画面６には、選択状態のデフォルト宛先ボタン６１が表示されている。
【０１２３】
個別宛先ページ遷移ボタン６２は、後述する個別宛先ページへ遷移するためのボタンである。個別宛先ページ遷移ボタン６２は、個別の宛先が属するグループごとに表示される。画面６には、７つのグループ「第１営業部」、「第２営業部」、「第３営業部」、「第４営業部」、「第５営業部」、「経理部」、および「その他のユーザ」に対応する７つの個別宛先ページ遷移ボタン６２が表示されている。ユーザは、個別宛先ページ遷移ボタン６２をクリックすることで、宛先ページを、個別宛先ページへ遷移させることができる。
【０１２４】
個別宛先ページは、個別宛先ページ遷移ボタン６２がクリックされることで宛先ページから遷移するウェブページである。図１０は、個別宛先ページの表示例である画面７を示す図である。画面７は、「第１営業部」グループに属する宛先を選択するための個別宛先ページの表示例である。個別宛先ページは、個別宛先ボタン７１と、戻るボタン７２とを含む。
【０１２５】
個別宛先ボタン７１は、宛先指示情報を送信するためのボタンである。個別宛先ボタン７１は、グループに属するすべての宛先に対応して表示される。画面７には、「第１営業部」グループに属する７つの宛先に対応する７つの個別宛先ボタン７１が表示されている。ユーザは、個別宛先ボタン７１を選択状態にすることで、送信すべき変更画像データを、個別宛先ボタン７１に対応する宛先の端末装置に対して送信する指示を、送信することができる。デフォルト状態では、いずれの個別宛先ボタン７１も、非選択状態である。
【０１２６】
また、画面７には、選択状態の個別宛先ボタン７１が２つ表示されている。画面７に示すように、個別宛先ボタン７１同士に排他性はなく、ユーザは、複数の個別宛先ボタン７１を選択状態にすることができる。また、個別宛先ボタン７１とデフォルト宛先ボタン６１との間にも排他性はなく、ユーザは、デフォルト宛先ボタン６１および個別宛先ボタン７１の両方を選択状態にすることができる。
【０１２７】
戻るボタン７２は、個別宛先ページを宛先ページへ遷移させるためのボタンである。ユーザは、戻るボタン７２をクリックすることで、個別宛先ページを宛先ページへ遷移させることができる。
【０１２８】
設定ページは、設定ページ遷移ボタン１１ｄが選択状態になることで、他のウェブページから遷移するウェブページである。図１１は、設定ページの表示例である画面８を示す図である。設定ページは、遷移ボタン１１と、文字原稿閾値設定部８１と、画像原稿閾値設定部８２と、混在原稿閾値設定部８３とを含む。
【０１２９】
文字原稿閾値設定部８１は、第１文字原稿閾値設定ボタン８１ａと、第２文字原稿閾値設定ボタン８１ｂとを含む。第１文字原稿閾値設定ボタン８１ａおよび第２文字原稿閾値設定ボタン８１ｂは、自動選択閾値情報を送信するためのボタンである。ユーザは、原稿種別が「文字原稿」である原稿画像データに対して、第１文字原稿閾値設定ボタン８１ａを選択状態にすることで、所定の値を自動選択に用いる閾値とする指示を送信することができ、第２文字原稿閾値設定ボタン８１ｂを選択状態にすることで、当該所定の値よりも大きな値を自動選択に用いる閾値とする指示を送信することができる。第１文字原稿閾値設定ボタン８１ａおよび第２文字原稿閾値設定ボタン８１ｂは、排他的ボタンであり、いずれか一方のみが選択状態となることができる。デフォルト状態では、第２文字原稿閾値設定ボタン８１ｂが選択状態である。
【０１３０】
画像原稿閾値設定部８２は、第１画像原稿閾値設定ボタン８２ａと、第２画像原稿閾値設定ボタン８２ｂとを含む。第１画像原稿閾値設定ボタン８２ａおよび第２画像原稿閾値設定ボタン８２ｂは、自動選択閾値情報を送信するためのボタンである。ユーザは、原稿種別が「画像原稿」である原稿画像データに対して、第１画像原稿閾値設定ボタン８２ａを選択状態にすることで、所定の値を自動選択に用いる閾値とする指示を送信することができ、第２画像原稿閾値設定ボタン８２ｂを選択状態にすることで、当該所定の値よりも大きな値を自動選択に用いる閾値とする指示を送信することができる。第１画像原稿閾値設定ボタン８２ａおよび第２画像原稿閾値設定ボタン８２ｂは、排他的ボタンであり、いずれか一方のみが選択状態となることができる。デフォルト状態では、第２画像原稿閾値設定ボタン８２ｂが選択状態である。
【０１３１】
混在原稿閾値設定部８３は、第１混在原稿閾値設定ボタン８３ａと、第２混在原稿閾値設定ボタン８３ｂとを含む。第１混在原稿閾値設定ボタン８３ａおよび第２混在原稿閾値設定ボタン８３ｂは、自動選択閾値情報を送信するためのボタンである。ユーザは、原稿種別が「混在原稿」である原稿画像データに対して、第１混在原稿閾値設定ボタン８３ａを選択状態にすることで、所定の値を自動選択に用いる閾値とする指示を送信することができ、第２混在原稿閾値設定ボタン８３ｂを選択状態にすることで、当該所定の値よりも大きな値を自動選択に用いる閾値とする指示を送信することができる。第１混在原稿閾値設定ボタン８３ａおよび第２混在原稿閾値設定ボタン８３ｂは、排他的ボタンであり、いずれか一方のみが選択状態となることができる。デフォルト状態では、第２混在原稿閾値設定ボタン８３ｂが選択状態である。
【０１３２】
画面８には、第１文字原稿閾値設定ボタン８１ａの示す値として「５０Ｋｂｙｔｅ」が、第２文字原稿閾値設定ボタン８１ｂの示す値として「１００Ｋｂｙｔｅ」が、第１画像原稿閾値設定ボタン８２ａの示す値として「１００Ｋｂｙｔｅ」が、第２画像原稿閾値設定ボタン８２ｂの示す値として「１Ｍｂｙｔｅ」が、第１混在原稿閾値設定ボタン８３ａの示す値として「５０Ｋｂｙｔｅ」が、第２混在原稿閾値設定ボタン８３ｂの示す値として「５００Ｋｂｙｔｅ」が、それぞれ表示され、選択状態の、第１文字原稿閾値設定ボタン８１ａ、第２画像原稿閾値設定ボタン８２ｂ、および第１混在原稿閾値設定ボタン８３ａが表示されている。このように、本実施形態においては、いずれの原稿種別においても、閾値として選択できる値は２種であるけれども、他の実施形態においては、閾値として選択できる値は３種以上であってもよい。また、閾値として選択できる値は、上記の値に限られない。
【０１３３】
送信ページは、送信ページ遷移ボタン１１ｅが選択状態になることで、他のウェブページから遷移するウェブページである。図１２は、送信ページの表示例である画面９を示す図である。送信ページは、遷移ボタン１１と、第１送信ボタン９１ａと、再確認ボタン９１ｂと、第２送信ボタン９１ｃとを含む。
【０１３４】
第１送信ボタン９１ａは、選択中の送信指示情報を画像処理装置１００に対して送信するためのボタンである。ユーザは、第１送信ボタン９１ａをクリックすることで、各ウェブページにおいて選択した送信指示情報を、画像処理装置１００に対して送信することができる。第１送信ボタン９１ａがクリックされた場合、画像データおよびウェブページを保持する指示である保持指示情報も、送信指示情報として画像処理装置１００に対して送信され、画像データは画像データ保持期間保持され、ウェブページはウェブページ保持期間保持される。
【０１３５】
再確認ボタン９１ｂは、選択中の送信指示情報を確認できるよう、トップページに遷移するためのボタンである。ユーザは、再確認ボタン９１ｂをクリックすることで、送信ページを、トップページへ遷移させることができる。
【０１３６】
第２送信ボタン９１ｃは、選択中の送信指示情報を画像処理装置１００に対して送信するためのボタンである。ユーザは、第２送信ボタン９１ｃをクリックすることで、各ウェブページにおいて選択した送信指示情報を、画像処理装置１００に対して送信することができる。第２送信ボタン９１ｃがクリックされた場合、画像データおよびウェブページを削除する指示である非保持指示情報も、送信指示情報として画像処理装置１００に対して送信され、画像データおよびウェブページは、送信すべき変更画像データの送信後、直ちに削除される。
【０１３７】
このようなウェブページによって、端末装置から、画像処理装置１００に対して、送信指示情報が送信される。画像処理装置１００は、端末装置からの送信指示情報を受信すると、画像送信処理を実行する。図１３は、画像送信処理を示すフローチャートである。
【０１３８】
まず、画像処理装置１００は、送信指示情報を受信すると、形式指示情報から、送信すべき変更画像データは、マルチページ形式であるか、シングルページ形式であるかを確認する（ステップＳ１１）。画像処理装置１００は、マルチページ形式の変更画像データを送信すべきであると確認した場合はステップＳ１２へ、シングルページ形式の変更画像データを送信すべきであると確認した場合はステップＳ１４へ、処理を進める。ステップＳ１２では、画像処理装置１００は、送信指示情報に基づいて、複合データから、送信すべきＰＤＦデータを作成する。次に、画像処理装置１００は、宛先指示情報に基づいて、送信すべき宛先へ、作成したＰＤＦデータを送信する（ステップＳ１３）。ステップＳ１４では、画像処理装置１００は、送信指示情報に基づいて、送信すべき変更画像を、宛先へ送信する。ステップＳ１３またはステップＳ１４の処理を終えると、画像処理装置１００は、保持指示情報および非保持指示情報のいずれの情報が、端末装置から送信されたかを判断する（ステップＳ１５）。端末装置から、画像処理装置１００に対して、非保持指示情報が送信された場合、画像処理装置１００は、送信すべき変更画像データの送信後、直ちに画像データおよびウェブページを削除する（ステップＳ１６）。一方、画像処理装置１００に対して、保持指示情報が送信された場合、画像処理装置１００は、画像データ保持期間およびウェブページ保持期間、画像データおよびウェブページをそれぞれ保持し、その後、画像データおよびウェブページを削除する。
【０１３９】
以上の画像送信処理および上述したウェブページ公開処理によって、送信すべき変更画像データが、送信すべき宛先に対して送信される。このように、画像処理装置１００によれば、ユーザは、変更画像データが所望する画像データであるか否かを、サムネイル画像を確認することによって判別でき、判別した上で、端末装置に対して送信すべき変更画像データを選択することができる。したがって、ユーザは、ユーザの不所望の、欠損・劣化等がある画像データが、端末装置に対して送信されることを防止することができる。
【０１４０】
また、画像処理装置１００によれば、原稿画像データについていずれの変更画像データを送信すべきかを判断する自動選択を行うことができるので、送信すべき変更画像データをユーザが判断しなくとも、欠損等のない変更画像データを、端末装置に対して送信することができる。
【０１４１】
また、画像処理装置１００によれば、ユーザは、自動選択に用いる閾値を選択することができるので、画像処理装置１００の自動選択によって、端末装置に対して送信される変更画像データが、ユーザの不所望の変更画像データとなることを、さらに防止することができる。
【０１４２】
また、画像処理装置１００によれば、ユーザは、原稿種別ごとに、自動選択に用いる閾値を選択することができるので、原稿の種類に応じて、最適な変更画像データを取得することができる。
【０１４３】
また、画像処理装置１００によれば、原稿画像データのうち、ユーザが送信を望まない原稿画像データの変更画像データについて、端末装置に対して送信しないようにすることができる。
【０１４４】
また、画像処理装置１００によれば、ユーザは、原稿画像データについて、マルチページ形式の変更画像データを送信するか、シングルページ形式の変更画像データを送信するかを選択することができる。さらに、ウェブページ保持期間中であれば、ユーザは、マルチページ形式の変更画像データおよびシングルページ形式の変更画像データの、両方を取得することができる。
【０１４５】
また、画像処理装置１００によれば、マルチページ形式の変更画像データとしてＰＤＦデータを作成し、端末装置に対して送信することができる。さらに、画像処理装置１００によれば、ユーザは、ＰＤＦデータの各ページについて、通常圧縮ページにするか、高圧縮ページにするかを選択することができる。
【０１４６】
また、画像処理装置１００によれば、ユーザは、送信すべき変更画像データを端末装置に送信するのにかかる時間の予想値を確認した上で、送信すべき変更画像データを選択することができるので、ユーザの所望する時間内で、端末装置に対して変更画像データを送信することができる。
【０１４７】
また、画像処理装置１００によれば、ユーザは、原稿画像データのデータサイズおよび変更画像データのデータサイズの少なくとも一方を確認した上で、送信すべき変更画像データを選択することができるので、ユーザの所望するデータサイズの変更画像データを、端末装置に対して送信することができる。
【０１４８】
また、画像処理装置１００によれば、ユーザは、拡大画像を確認した上で送信すべき変更画像データを選択することができるので、サムネイル画像によって画像データの欠損・劣化等が判別できない場合であっても、拡大画像によって判別することができる。よって、ユーザは、ユーザの不所望の画像データが端末装置に対して送信されることを、さらに防止することができる。
【０１４９】
また、画像処理装置１００によれば、画像データおよびウェブページはそれぞれ、画像データ保持期間およびウェブページ保持期間中保持されるので、ユーザは、両保持期間に属する期間中、何時でも、何度でも、端末装置に対して変更画像データを送信することができる。よって、ユーザは、同一の原稿画像データについて、出力形式の異なる画像データを、複数取得することができる。また、ユーザは、取得した変更画像データを誤って消去した場合であっても、再度同一の変更画像データを取得することができる。
【０１５０】
また、画像処理装置１００によれば、画像データおよびウェブページはそれぞれ、画像データ保持期間およびウェブページ保持期間経過後削除されるので、ユーザが画像データ等の削除を行わなくとも、画像処理装置１００は記憶領域を常に確保することができる。
【０１５１】
また、画像処理装置１００によれば、ユーザは、一度の送信指示によって、送信すべき変更画像データを複数の宛先に対して送信することができるので、変更画像データの送信に関して省力化することができる。
【０１５２】
また、本発明に係る画像処理装置の他の実施形態として、複数枚の原稿を連続して読取った場合でも、複数の原稿画像データのうち、ページ番号「１」の原稿画像データに対してのみサムネイル画像データを作成し、当該サムネイル画像データに基づくサムネイル画像を表示するウェブページを公開する画像処理装置としてもよい。このような画像処理装置によれば、画像処理装置の記憶領域を確保することが容易となる。また、端末装置から、複数のサムネイル画像を表示するウェブページを閲覧する場合と比べて、端末装置の表示部にウェブページを表示するのにかかる時間を短縮することができる。また、作成および表示するサムネイル画像は、ページ番号「１」の原稿画像データに対するものに限定されず、任意のページ番号の原稿画像データのみのサムネイル画像としてもよい。
【０１５３】
次に、画像形成装置２００について説明する。画像形成装置２００は、画像処理装置１００と、画像形成部１６０と、給紙ユニット部１７０とを備える。
【０１５４】
画像形成部１６０は、インクジェット方式、電子写真方式等の従来公知の画像形成手段である。画像形成部１６０は、画像形成装置２００および給紙ユニット部１７０と接続され、画像形成部１６０内の図示しない制御ユニット部によって画像処理装置１００から出力された原稿画像データを処理し、給紙ユニット部１７０から供給される記録媒体に、画像を形成する。
【０１５５】
給紙ユニット部１７０は、印刷用紙等の記録媒体を画像形成部１６０に供給する従来公知の供給手段である。給紙ユニット部１７０は、画像形成部１６０と接続され、画像形成部１６０内の制御ユニット部の命令に従って、画像形成部１６０に所定のタイミングで、記録媒体を供給する。
【０１５６】
画像形成装置２００によれば、ユーザは、画像処理装置１００に記憶された原稿画像データに基づく画像を形成することができる。よって、画像形成装置２００によれば、ユーザは、変更画像データ、およびその変更画像データの元となった原稿の複製の、両方を取得することができる。
【０１５７】
また、本発明に係るプログラムの実施形態として、コンピュータに実行させるためのプログラムを記録したコンピュータ読取可能な記録媒体に、上述した画像選択処理を行う画像処理プログラムを記録したものとすることもできる。
【０１５８】
そのような画像処理プログラムが記録媒体に記録された結果、画像選択処理を実行するプログラムコード（実行形式プログラム、中間コードプログラム、ソースプログラム等）を記録した記録媒体を持ち運び自在に提供することができる。
【０１５９】
上記記録媒体がデジタルカラー画像形成装置またはコンピュータシステムに備えられるプログラム読取装置により読取られることで、画像選択処理は実行される。
【０１６０】
コンピュータシステムは、フラットベッドスキャナ、フィルムスキャナ、デジタルカメラなどの画像読取装置と、所定のプログラムコードがロードされることにより画像選択処理など様々な処理が行われるコンピュータと、コンピュータの処理結果を表示するＣＲＴ（Cathode Ray Tube）ディスプレイ、液晶ディスプレイ等の画像表示装置と、コンピュータの処理結果を紙などに出力するプリンタとから構成される。さらにコンピュータシステムには、ネットワークを介してサーバ装置等に接続するための通信手段としてのネットワークカード、モデム等が備えられる。
【０１６１】
なお、本実施形態において、この記録媒体は、マイクロコンピュータが処理を行うためのメモリ、たとえばＲＯＭそのもののようなプログラムメディアであっても良いし、または、コンピュータシステムに外部記憶装置として設けられるプログラム読取装置に挿入することで読取られるプログラムメディアであっても良い。
【０１６２】
いずれの場合においても、記録媒体に格納されているプログラムは、マイクロプロセッサが記録媒体にアクセスして実行する方式であっても良いし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【０１６３】
ここで、上記プログラムメディアは、本体と分離可能に構成される記録媒体であり、磁気テープ、カセットテープ等のテープ系、フレキシブルディスク、ハードディスク等の磁気ディスク、ＣＤ−ＲＯＭ（Compact Disc - Read Only Memory）、ＭＯ（Magneto 
Optical disc）、ＭＤ（Mini Disc）、ＤＶＤ（Digital Versatile Disc）等の光ディスクのディスク系、ＩＣ（Integrated Circuit）カード（メモリカードを含む）、光カード等のカード系、あるいはマスクＲＯＭ、ＥＰＲＯＭ（Erasable Programmable Read Only 
Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０１６４】
また、コンピュータシステムが、インターネットを含む通信ネットワークを接続可能なシステム構成であれば、記録媒体は、通信ネットワークからプログラムコードをダウンロードするように、流動的にプログラムコードを担持する媒体であっても良い。なお、このように通信ネットワークからプログラムをダウンロードする場合には、そのダウンロード用のプログラムは予め本体装置に格納しておくか、または他の記録媒体からインストールしておく。また、本発明に係るプログラムは、上記プログラムコードが電子的な伝送で具現化された、搬送波に埋め込まれたコンピュータデータ信号の形態でも実現され得る。
【０１６５】
最後に、本発明の範囲は、上述の実施形態の範囲ではなく、特許請求の範囲によって示される。上述の実施形態の説明はすべての点で例示であり、本発明の範囲は他のすべての実施形態を含むものである。すなわち、本発明は、上述の実施形態の一部または全部を、特許請求の範囲内および特許請求の範囲と均等の範囲内において、変更したすべての実施形態を含む。
【符号の説明】
【０１６６】
１００  画像処理装置
１０１  入力画像処理部
１０２  画像データ処理部
１０３  圧縮画像作成部
１０４  サムネイル作成部
１０５  拡大表示用画像作成部
１０６  宛先処理部
１０７  宛先設定部
１０８  ウェブページ作成部
１０９  ウェブサーバ部
１１０  制御ユニット部
１１１  通信制御部
１１２  ＰＤＦ作成部
１１３  指示情報処理部
１２０  スキャナ部
１３０  表示部
１４０  操作部
１５０  通信部
１６０  画像形成部
１７０  給紙ユニット部
２００  画像形成装置
【図１】
2010200181.tif 000003
【図２】
2010200181.tif 000004
【図３】
2010200181.tif 000005
【図４】
2010200181.tif 000006
【図５】
2010200181.tif 000007
【図６】
2010200181.tif 000008
【図７】
2010200181.tif 000009
【図８】
2010200181.tif 000010
【図９】
2010200181.tif 000011
【図１０】
2010200181.tif 000012
【図１１】
2010200181.tif 000013
【図１２】
2010200181.tif 000014
【図１３】
2010200181.tif 000015